(57)【要約】【課題】  閉じた状態における操作を容易にすること。【解決手段】  携帯電話機は、開状態と閉状態とに状態を変化可能であり、閉状態において外部に向かって複数色を発光する発光部と、複数種類の処理を複数色のいずれかと関連付ける関連付部と、振る操作を受け付ける加速度検出部５１と、振る操作が受け付けられると複数種類の処理うちから１つを選択する処理選択部５３と、閉状態において選択された処理に関連付けられた色で発光部を発光させる発光制御部６３と、閉状態から開状態への変化が検出されると、選択された処理を実行する処理実行部５９と、を備える。【選択図】        図４
2010033338.tif 000002
【特許請求の範囲】
【請求項１】
開いた状態と閉じた状態とに状態を変化可能な携帯機器であって、
閉じた状態において外部に向かって複数色を発光する発光手段と、
複数種類の処理を前記複数色のいずれかと関連付ける関連付手段と、
所定の操作を受け付ける操作受付手段と、
前記所定の操作が受け付けられると前記複数種類の処理のうちから１つを選択する処理選択手段と、
閉じた状態において前記選択された処理に関連付けられた色で前記発光手段を発光させる発光制御手段と、
閉じた状態から開いた状態への変化が検出されると、前記選択された処理を実行する処理実行手段と、を備えた携帯機器。
【請求項２】
前記複数種類の処理それぞれが実行されたことを示す履歴情報を記憶する履歴記憶手段をさらに備え、
前記処理選択手段は、前記履歴情報に基づいて、前記複数種類の処理のうちから実行された回数の多い順に選択する、請求項１に記載の携帯機器。
【請求項３】
前記発光制御手段は、前記処理選択手段により処理が選択される前に、前記複数種類の処理にそれぞれ対応する複数の部分それぞれを、当該種類の処理に関連付けられた色で発光させ、
前記複数の部分は、前記複数種類の処理それぞれが実行された回数に基づき定まる面積を有する、請求項２に記載の携帯機器。
【請求項４】
前記複数種類の処理それぞれが実行されたことを示す履歴情報を記憶する履歴記憶手段をさらに備え、
前記発光制御手段は、前記処理選択手段により処理が選択される前に、前記複数種類の処理にそれぞれ対応する複数の部分それぞれを、当該種類の処理に関連付けられた色で発光させ、
前記複数の部分は、前記複数種類の処理それぞれが実行された回数に基づき定まる面積を有する、請求項１に記載の携帯機器。
【請求項５】
前記発光制御手段は、前記複数種類の処理のうち該処理に対して処理対象となる新たなデータが存在する場合、該処理に関連する色を点滅させる、請求項３または４に記載の携帯機器。
【請求項６】
前記発光制御手段は、前記複数種類の処理のうち最後に実行された処理に関連する色を点滅させる、請求項３〜５のいずれかに記載の携帯機器。
【請求項７】
前記関連付手段は、さらに、前記複数種類の処理それぞれに対して、該処理を実行することにより表示可能な複数種類の画面を複数色のいずれかと関連付け、
前記選択された処理を候補に決定する候補決定手段と、
前記候補が決定された後に前記所定の操作が受け付けられると、前記候補に決定された処理を実行することにより表示可能な複数種類の画面にそれぞれ関連付けられた複数の色のうちから１つを候補色として選択する候補色選択手段と、をさらに備え、
前記発光制御手段は、前記候補が決定された後に前記所定の操作が受け付けられると、前記候補に決定された処理に対応する色と、該候補色とを表示させ、
前記処理実行手段は、閉じた状態から開いた状態への変化が検出されると、前記候補に決定された処理を実行し、前記候補色に関連付けられた種類の画面を表示する、請求項１〜６のいずれかに記載の携帯機器。
【請求項８】
前記関連付手段は、さらに、前記複数種類の処理それぞれに対して、該処理が処理対象とする複数種類のデータを複数色のいずれかと関連付け、
前記選択された処理を候補に決定する候補決定手段と、
前記候補が決定された後に前記所定の操作が受け付けられると、前記候補に決定された処理が処理対象とする複数種類のデータにそれぞれ関連付けられた複数の色のうちから１つを候補色として選択する候補色選択手段と、をさらに備え、
前記発光制御手段は、前記候補が決定された後に前記所定の操作が受け付けられると、前記候補に決定された処理に対応する色と、該候補色とを表示させ、
前記処理実行手段は、閉じた状態から開いた状態への変化が検出されると、前記候補色に関連付けられた種類のデータを処理対象として前記候補に決定された処理を実行する、請求項１〜６のいずれかに記載の携帯機器。
【請求項９】
前記処理実行手段は、処理を実行して表示する画面の少なくとも一部を該処理に関連付けられた色で表示する、請求項１〜７のいずれかに記載の携帯機器。
【請求項１０】
前記操作受付手段は、加速度を検出する加速度検出手段を含み、
加速度が検出されることに応じて、前記所定の操作を受け付ける、請求項１〜９のいずれかに記載の携帯機器。
【請求項１１】
開いた状態と閉じた状態とに状態を変化可能な携帯機器で実行される操作受付方法であって、
前記携帯機器は、閉じた状態において外部に向かって複数色を発光する発光手段を備えており、
複数種類の処理を前記複数色のいずれかと関連付けるステップと、
所定の操作を受け付けるステップと、
前記所定の操作が受け付けられることに応じて前記複数種類の処理のうちから１つを選択するステップと、
閉じた状態において前記選択された処理に関連付けられた色で前記発光手段を発光させるステップと、
閉じた状態から開いた状態への変化が検出されると、前記選択された処理を実行するステップと、を含む操作受付方法。
【発明の詳細な説明】
【技術分野】
【０００１】
この発明は携帯機器および操作受付方法に関し、特に閉じた状態と開いた状態とに形態を変化可能な携帯機器およびその携帯機器で実行される操作受付方法に関する。
【背景技術】
【０００２】
携帯電話機は、多くの機能を搭載しており、ユーザが多くの機能のいずれを実行させるかを選択可能とするために、階層構造をなした複数の操作画面を備えている。機能の多さからメニュー画面における選択肢が多く、また、階層が深くなり、所望の操作画面を表示させるためには、熟練が必要となっている。操作を容易にするための技術として、特開２００２−４１２０５号公報には、階層構造を有する操作メニューを表示する場合、最上位の階層の操作メニューの表示画面の中に配列して表示される複数のメニュー内容を表現する各表示アイテムに対して、それぞれ異なる配色を行い、最上位の階層の操作メニューを構成する各メニュー内容と従属関係にある下位の各階層の操作メニューにおける各メニュー内容の表示アイテムを同一の配色に統一する携帯情報端末の情報表示方法が記載されている。
【０００３】
一方、携帯電話機は、携帯の利便性から使用時と使用しない時とで形態を変化させるものが多い。この種の携帯電話機は、通常、使用しないときに外形が小さな閉じた状態となり、使用時に開いた状態となる。携帯電話機を閉じた状態では、表示画面が内側を向くため、操作メニューなどの操作画面を見ながら操作することができないといった問題があった。
【特許文献１】特開２００２−４１２０５号公報
【発明の開示】
【発明が解決しようとする課題】
【０００４】
この発明は上述した問題点を解決するためになされたもので、この発明の目的の一つは、閉じた状態における操作を容易にした携帯機器を提供することである。
【０００５】
この発明の他の目的は、閉じた状態における操作を容易にした操作受付方法を提供することである。
【課題を解決するための手段】
【０００６】
上述した目的を達成するためにこの発明のある局面によれば、携帯機器は、開いた状態と閉じた状態とに状態を変化可能な携帯機器であって、閉じた状態において外部に向かって複数色を発光する発光手段と、複数種類の処理を複数色のいずれかと関連付ける関連付手段と、所定の操作を受け付ける操作受付手段と、所定の操作が受け付けられると複数種類の処理のうちから１つを選択する処理選択手段と、閉じた状態において選択された処理に関連付けられた色で発光手段を発光させる発光制御手段と、閉じた状態から開いた状態への変化が検出されると、選択された処理を実行する処理実行手段と、を備える。
【０００７】
この局面に従えば、複数種類の処理が複数色のいずれかと関連付けられており、閉じた状態において、所定の操作が受け付けられて複数種類の処理のうちから選択された処理に関連付けられた色で発光するので、閉じた状態において選択された処理を色で報知することができる。そして、閉じた状態から開いた状態への変化が検出されると、選択された処理が実行される。このため、携帯機器の状態を変化させる簡単な操作で、閉じた状態において選択された処理を実行させることができる。その結果、閉じた状態における操作を容易にした携帯機器を提供することができる。
【０００８】
好ましくは、複数種類の処理それぞれが実行されたことを示す履歴情報を記憶する履歴記憶手段をさらに備え、処理選択手段は、履歴情報に基づいて、複数種類の処理のうちから実行された回数の多い順に選択する。
【０００９】
この局面に従えば、複数種類の処理のうちから実行された回数の多い順に選択されるので、操作回数を少なくすることができる。
【００１０】
好ましくは、発光制御手段は、処理選択手段により処理が選択される前に、複数種類の処理にそれぞれ対応する複数の部分それぞれを、当該種類の処理に関連付けられた色で発光させ、複数の部分は、複数種類の処理それぞれが実行された回数に基づき定まる面積を有する。
【００１１】
この局面に従えば、処理が選択される前に、複数種類の処理にそれぞれ対応する複数の部分それぞれが、当該種類の処理に関連付けられた色で発光され、複数の部分は、複数種類の処理それぞれが実行された回数に基づき定まる面積を有するので、複数種類の処理が実行された回数の順位をユーザに報知することができる。
【００１２】
好ましくは、複数種類の処理それぞれが実行されたことを示す履歴情報を記憶する履歴記憶手段をさらに備え、発光制御手段は、処理選択手段により処理が選択される前に、複数種類の処理にそれぞれ対応する複数の部分それぞれを、当該種類の処理に関連付けられた色で発光させ、複数の部分は、複数種類の処理それぞれが実行された回数に基づき定まる面積を有する。
【００１３】
この局面に従えば、処理が選択される前に、複数種類の処理にそれぞれ対応する複数の部分それぞれが、当該種類の処理に関連付けられた色で発光され、複数の部分は、複数種類の処理それぞれが実行された回数に基づき定まる面積を有するので、複数種類の処理が実行された回数の順位をユーザに報知することができる。
【００１４】
好ましくは、発光制御手段は、複数種類の処理のうち該処理に対して処理対象となる新たなデータが存在する場合、該処理に関連する色を点滅させる。
【００１５】
この局面に従えば、処理対象となる新たなデータの存在をユーザに通知することができる。
【００１６】
好ましくは、発光制御手段は、複数種類の処理のうち最後に実行された処理に関連する色を点滅させる。
【００１７】
この局面に従えば、最後に実行された処理をユーザに通知することができる。
【００１８】
好ましくは、関連付手段は、さらに、複数種類の処理それぞれに対して、該処理を実行することにより表示可能な複数種類の画面を複数色のいずれかと関連付け、選択された処理を候補に決定する候補決定手段と、候補が決定された後に所定の操作が受け付けられると、候補に決定された処理を実行することにより表示可能な複数種類の画面にそれぞれ関連付けられた複数の色のうちから１つを候補色として選択する候補色選択手段と、をさらに備え、発光制御手段は、候補が決定された後に所定の操作が受け付けられると、候補に決定された処理に対応する色と、該候補色とを表示させ、処理実行手段は、閉じた状態から開いた状態への変化が検出されると、候補に決定された処理を実行し、候補色に関連付けられた種類の画面を表示する。
【００１９】
この局面に従えば、閉じた状態において、複数種類の処理のうちから１つを選択可能とするとともに、該選択された処理が実行されることにより表示される複数種類の画面のうちから１つを選択可能とする。このため、閉じた状態における操作が可能となる。
【００２０】
好ましくは、関連付手段は、さらに、複数種類の処理それぞれに対して、該処理が処理対象とする複数種類のデータを複数色のいずれかと関連付け、選択された処理を候補に決定する候補決定手段と、候補が決定された後に所定の操作が受け付けられると、候補に決定された処理が処理対象とする複数種類のデータにそれぞれ関連付けられた複数の色のうちから１つを候補色として選択する候補色選択手段と、をさらに備え、発光制御手段は、候補が決定された後に所定の操作が受け付けられると、候補に決定された処理に対応する色と、該候補色とを表示させ、処理実行手段は、閉じた状態から開いた状態への変化が検出されると、候補色に関連付けられた種類のデータを処理対象として候補に決定された処理を実行する。
【００２１】
この局面に従えば、閉じた状態において、複数種類の処理のうちから１つを選択可能とするとともに、該選択された処理が処理するための複数種類のデータのうちから１つを選択可能とする。このため、閉じた状態における操作が可能となる。
【００２２】
好ましくは、処理実行手段は、処理を実行して表示する画面の少なくとも一部を該処理に関連付けられた色で表示する。
【００２３】
この局面に従えば、ユーザに色と処理との関連を記憶させやすくすることができる。
【００２４】
好ましくは、操作受付手段は、加速度を検出する加速度検出手段を含み、加速度が検出されることに応じて、所定の操作を受け付ける。
【００２５】
この局面に従えば、ユーザは、携帯機器に加速度を与える簡単な操作をすればよく、操作を容易にすることができる。
【００２６】
この発明の他の局面によれば、操作受付方法は、開いた状態と閉じた状態とに状態を変化可能な携帯機器で実行される操作受付方法であって、携帯機器は、閉じた状態において外部に向かって複数色を発光する発光手段を備えており、複数種類の処理を複数色のいずれかと関連付けるステップと、所定の操作を受け付けるステップと、所定の操作が受け付けられることに応じて複数種類の処理のうちから１つを選択するステップと、閉じた状態において選択された処理に関連付けられた色で発光手段を発光させるステップと、閉じた状態から開いた状態への変化が検出されると、選択された処理を実行するステップと、を含む。
【００２７】
この発明の他の目的は、閉じた状態における操作を容易にした操作受付方法を提供することができる。
【発明を実施するための最良の形態】
【００２８】
以下、本発明の実施の形態について図面を参照して説明する。以下の説明では同一の部品には同一の符号を付してある。それらの名称および機能も同じである。したがってそれらについての詳細な説明は繰返さない。
【００２９】
図１は、本発明の実施の形態の一つにおける携帯電話機の外観を示す斜視図である。図１（Ａ）は、オープンスタイルの携帯電話機の外観を示し、図１（Ｂ）はクローズスタイルの携帯電話機の外観を示す。図１（Ａ）および図１（Ｂ）を参照して、携帯電話機１は、操作側部３と、表示側部２とを含む。操作側部３は、電源キー１４Ａ、テンキーおよび通話キー等を含む操作キー１４と、マイクロフォン１３とが内側面に配置され、サイドキー６が側面に配置される。表示側部２は、液晶表示装置（ＬＣＤ）１５と、レシーバを構成するスピーカ１１と、カメラ２４とが内側面に配置され、発光部１７が外側面に配置される。なお、ここでは携帯電話機１がＬＣＤ１５を備える例を示すが、ＬＣＤ１５に代えて、有機ＥＬ（Ｅｌｅｃｔｒｏ  Ｌｕｍｉｎｅｓｃｅｎｃｅ）ディスプレイを用いてもよい。
【００３０】
操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。携帯電話機１が閉状態のとき、ＬＣＤ１５の表示面は、操作側部３と対向するので、外部から表示面を視認することができない。一方、発光部１７は、ＬＣＤ１５の表示面と反対方向に配置されるので、発光部１７が照射する光は、外部から視認可能である。
【００３１】
図２は、発光部の平面図である。図２を参照して、発光部１７は、携帯電話機１の表示側部２の長手方向に配列された１０個の導光板１０３と、１０個の導光板１０３それぞれを挟んで配置される一対のカラーＬＥＤ１０１とを含む。１つの導光板１０３と、一対のカラーＬＣＤ１０１との組で、カラーＬＣＤ１０１から照射した光が導光板１０３で反射し、外部に照射される。これにより、導光板１０３全体が一色の光を発光する。１つの導光板１０３と一対のカラーＬＣＤ１０１との組が１０組配置されるので、１０個の導光板１０３それぞれが独立した色の光を照射することができる。このため、１０個の導光板１０３それぞれが互いに異なる色の光を照射することができるし、同じ色の光を照射することができる。
【００３２】
図３は、本実施の形態における携帯電話機の機能の一例を示す機能ブロック図である。図３を参照して、携帯電話機１は、携帯電話機１の全体を制御するための制御部２１と、アンテナ２２Ａと接続された無線回路２２と、音声データを処理するためのコーデック部１０と、それぞれがコーデック部１０に接続されたマイクロフォン１３およびスピーカ１１と、カメラ２４と、ユーザの操作の入力を受付ける操作キー１４およびサイドキー６と、赤外線通信部１９と、振動部２７と、カードインターフェース（Ｉ／Ｆ）２８と、発光部１７と、ＬＣＤ１５と、制御部２１で実行するためのプログラム等を記憶するためのＲＯＭ（Ｒｅａｄ  Ｏｎｌｙ  Ｍｅｍｏｒｙ）３１と、制御部２１の作業領域として使用されるＲＡＭ（Ｒａｎｄｏｍ  Ａｃｃｅｓｓ  Ｍｅｍｏｒｙ）３２と、データを不揮発的に記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３３と、加速度センサ２５と、開閉スイッチ２６とを含む。
【００３３】
無線回路２２は、通信網に接続された基地局装置と無線通信する。基地局装置が送信する無線信号は、アンテナ２２Ａにより受信される。無線回路２２は、アンテナ２２Ａにより受信された無線信号が入力され、無線信号を復調した音声信号をコーデック部１０に出力する。また、無線回路２２は、コーデック部１０から音声信号が入力され、音声信号を変調した無線信号をアンテナ２２Ａに出力する。アンテナ２２Ａから送信される無線信号は、基地局装置で受信される。
【００３４】
コーデック部１０は、無線回路２２から入力される音声信号を復号し、復号したデジタルの音声信号をアナログに変換し、増幅し、スピーカ１１に出力する。また、コーデック部１０は、マイクロフォン１３からアナログの音声信号が入力され、音声信号をデジタルに変換し、符号化し、そして符号化した音声信号を無線回路２２に出力する。
【００３５】
カードＩ／Ｆ２８には、着脱可能なフラッシュメモリ２８Ａが装着される。制御部２１は、カードＩ／Ｆ２８を介して、フラッシュメモリ２８Ａにアクセスが可能である。なお、ここでは制御部２１が実行するためのプログラムをＲＯＭ３１に記憶しておく例を説明するが、プログラムをフラッシュメモリ２８Ａに記憶しておき、フラッシュメモリ２８Ａからプログラムを読み出して、制御部２１が実行するようにしてもよい。プログラムを記憶する記録媒体としては、フラッシュメモリ２８Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等でもよい。また、携帯電話機１をインターネットに無線回路２２を介して接続し、インターネットに接続されたコンピュータからプログラムをダウンロードして、制御部２１が実行するようにしてもよい。ここでいうプログラムは、制御部２１が直接実行可能なプログラムだけでなく、ソースプログラム、圧縮処理されたプログラム、暗号化されたプログラム等を含む。
【００３６】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、画像データの画質を向上させるための画像処理を実行する画像処理回路、画像データをアナログからデジタルに変換するＡ／Ｄ変換回路を備えている。制御部２１は、カメラ２４が出力する静止画データまたは動画データをＬＣＤ１５に表示させる、または、圧縮符号化方式で静止画データまたは動画データを符号化して、ＥＥＰＲＯＭ３４またはカードＩ／Ｆ２８に装着されたフラッシュメモリ２８Ａに記憶する。
【００３７】
赤外線通信部１９は、赤外線を媒体としてデータを送受信する。例えば、ＩｒＤＡ（Ｉｎｆｒａｒｅｄ  Ｄａｔａ  Ａｓｓｏｃｉａｔｉｏｎ）規格に従って、外部の機器との間でデータを送受信する。なお、ここでは、赤外線を媒体としてデータを送受信する例を示すが、電磁波を用いた無線通信により外部の機器と通信するようにしてもよい。また、赤外線通信部１９に代えて、またはそれに加えてシリアルインターフェースまたはパラレルインターフェースを備えるようにし、通信ケーブルで外部の機器と接続し、外部の機器とデータを送受信するようにしてもよい。
【００３８】
加速度センサ２５は、加速度を検出し、検出した加速度を制御部２１に出力する。加速度センサが検出する加速度は、１方向であってもよいし、複数方向であってもよい。制御部２１は、加速度センサ２５から入力される加速度に基づいて、携帯電話機１を振る操作がされたことを検出する。
【００３９】
開閉スイッチ２６は、携帯電話機１の開閉を検出する。携帯電話機１が閉状態にあるときに開閉スイッチ２６はＯＮとなり、閉状態でないときにＯＦＦとなる。制御部２１は、開閉スイッチ２６の状態を検出することにより、携帯電話機１が閉状態にあるのか、または開状態にあるのかを検出する。ここでは、携帯電話機１が閉状態でないときを、開状態としている。
【００４０】
図４は、制御部の機能の概要をＥＥＰＲＯＭに記憶されるデータとともに示す機能ブロック図である。図４を参照して、制御部２１は、加速度センサ２５と接続される加速度検出部５１と、開閉スイッチ２６と接続される開閉検出部６１と、実行するべき処理を選択する処理選択部５３と、発光部１７を制御する発光制御部６３と、実行するべき処理の候補を決定する候補決定部５５と、処理対象とするべきデータの種類を選択するための画面選択部５７と、処理を実行するための処理実行部５９と、実行された処理の履歴を記憶するための履歴記憶部７３と、複数の処理それぞれを複数色のいずれかと関連付ける関連付部７５と、処理実行部５９が処理を実行したことを示す履歴情報を記憶する履歴記憶部７３と、を含む。
【００４１】
処理実行部５９は、複数種類の処理を実行する。複数種類の処理は、ここでは、電子メール処理、電話発着信処理、Ｗｅｂページのブラウジング処理、目覚ましアラーム処理を含む。電子メール処理は、電子メールを送信する処理、電子メールを受信する処理、電子メールを編集する処理、受信された電子メールを閲覧する処理を含む。処理実行部５９は、実行した処理を識別するための処理識別情報を履歴記憶部７３に出力する。また、処理実行部５９は、複数の処理に対して予め定められた条件が成立すると、該条件が成立した処理の処理識別情報を発光制御部６３に出力する。予め定められた条件は、ＥＥＰＲＯＭ３３に条件テーブルとして予め記憶されている。
【００４２】
図５は、条件テーブルの一例を示す図である。図５を参照して、条件テーブルは、処理の種類ごとに点滅条件を関連付ける。点滅条件は、処理対象とするデータが変化することを条件としている。具体的には、電子メール処理に対しては、電子メール受信時または未読の電子メールが存在することが点滅条件として関連付けられる。換言すれば、点滅条件は、新たなに受信された電子メールが新たなデータとして存在することである。電話発着信処理に対しては、着信時または不在着信の履歴が新たなデータとして存在することが点滅条件として関連付けられる。ブラウジング処理に対しては、お気に入りに登録されているＷｅｂページが更新されたことが点滅条件として関連付けられる。Ｗｅｂページが更新されることにより、更新されたＷｅｂページが新たなデータとなる。目覚ましアラーム処理に対しては、処理対象とする時刻がアラーム時刻に一致することが点滅条件として関連付けられる。
【００４３】
図４に戻って、履歴記憶部７３は、処理実行部５９が実行した処理の履歴を記憶する。具体的には、実行した処理の処理識別情報と、当該処理が実行された年月日および時刻とを含む履歴レコードを生成し、ＥＥＰＲＯＭ３３に記憶されている履歴情報８３に追加して記憶する。履歴記憶部７３は、１日単位で履歴情報８３を更新する。更新前までに処理実行部５９により実行された処理の履歴レコードをＲＡＭ３２に記憶しておき、予め定められた時刻になると、ＲＡＭ３２に記憶された履歴レコードで履歴情報８３を更新する。また、履歴記憶部７３は、履歴情報８３に記憶する履歴レコードを、所定の期間記憶する。所定の期間は、例えば、１週間、１ヶ月など任意に定めることができる。履歴レコードを記憶する期間を定めることにより、所定の期間において処理実行部５９により実行される処理の頻度を計算できるので、現在を基準にして最近の傾向を分析することができる。
【００４４】
図６（Ａ）は、色テーブルの第１色レコードの一例を示す図である。図６（Ａ）を参照して、第１色レコードは、処理実行部５９が実行可能な複数種類の処理、すなわち、電子メール処理、電話発着信処理、ブラウジング処理、目覚ましアラーム処理それぞれを複数色のいずれかと関連付ける。具体的には、電子メール処理をカラーＡと関連付け、電話発着信処理をカラーＢと関連付け、ブラウジング処理をカラーＣと関連付け、目覚ましアラーム処理をカラーＤと関連付ける。なお、ユーザが処理の種類とそれに関連付けられた色とを記憶しやすいように、処理が実行される際にＬＣＤ１５に表示される操作画面の背景等、操作画面の少なくとも一部を、その処理に関連付けられた色にするのが好ましい。このようにすることで、ユーザは、操作時に見る色から直感的に処理の種類を判断できるようにすることができる。
【００４５】
図６（Ｂ）は、色テーブルの第２色レコードの一例を示す図である。図６（Ｂ）を参照して、第２色レコードは、複数種類の処理、ここでは、電子メール処理、電話発着信処理、ブラウジング処理および目覚ましアラーム処理それぞれに対して、表示可能な複数種類の画面それぞれを複数色のいずれかと関連付ける。具体的には、電子メール処理が実行されて表示可能な新規に電子メールを作成するための「新規作成画面」をカラーＥと関連付け、受信された電子メールを一覧表示する「受信ＢＯＸ一覧画面」をカラーＦと関連付け、送信された電子メールを一覧表示する「送信ＢＯＸ一覧画面」をカラーＧと関連付け、新たに受信された電子データの存否を電子メールサーバに問い合わせるための「新着メール問合せ中画面」をカラーＨとかんれうう付ける。また、電話発着信処理が実行されて表示可能な着信のあった電話番号を一覧表示する「着信履歴一覧画面」をカラーＥと関連付け、発信のあった電話番号を一覧表示する「発信履歴一覧画面」をカラーＦと関連付ける。
【００４６】
ブラウジング処理が表示可能な「前回表示画面」をカラーＥと関連付け、「お気に入りに第１番目に登録された画面」をカラーＦと関連付け、「お気に入りに第２番目に登録された画面」をカラーＧと関連付け、「お気に入りに第３番目に登録された画面」をカラーＨと関連付ける。
【００４７】
目覚ましアラーム処理が表示可能なアラーム時刻を設定スルタン手の「新規アラーム時刻設定画面」をカラーＥと関連付ける。
【００４８】
なお、ユーザが表示される画面とそれに関連付けられた色とを記憶しやすいように、画面がＬＣＤ１５に表示される際に、背景または文字等の表示部分の一部を、その画面に関連付けられた色にするのが好ましい。このようにすることで、ユーザは、操作時に見る色から直感的にデータの種類を判断できるようにすることができる。
【００４９】
図４に戻って、加速度検出部５１は、加速度センサ２５から入力される加速度に基づいて、携帯電話機１を振る操作が入力されたか否かを判断する。ユーザが携帯電話機１を振ると、加速度センサ２５が加速度を検出する。携帯電話機１が１回振られると、携帯電話機１が移動する方向の加速度が発生した後、携帯電話機１が静止するときに移動方向と逆方向の加速度が発生する。加速度検出部５１は、ある方向の加速度を検出した後、その逆方向の加速度を検出すると、携帯電話機１が１回振られたことを検出し、振る操作を受け付ける。加速度検出部５１は、携帯電話機１が１回振られたことを検出すると、振る操作を受け付け、処理選択部５３および画面選択部５７に振る操作が入力されたことを示す信号を出力する。ここでは、加速度センサ２５が検出する加速度の方向は、発光部１７の導光板１０３Ａ〜１０３Ｊが配列される方向を含む面と平行な方向としている。
【００５０】
開閉検出部６１は、開閉スイッチ２６の状態を検出し、携帯電話機１の状態を検出する。開閉スイッチ２６がＯＮならば携帯電話機１が閉状態にあることを検出し、開閉スイッチ２６がＯＦＦならば携帯電話機１が開状態にあることを検出する。開閉検出部６１は、検出した携帯電話機１の状態を処理選択部５３、発光制御部６３および処理実行部５９に出力する。
【００５１】
発光制御部６３は、実行するべき複数種類の処理を一覧表示する一覧表示部６５と、緊急を要する処理を点滅表示する点滅表示部６７と、選択された処理を表示するための選択表示部６９と、候補色表示部７１と、を備える。
【００５２】
一覧表示部６５は、開閉検出部６１により閉状態が検出されているときに加速度検出部５１により振る操作が入力されたことを示す信号が入力されると、処理実行部５９が実行可能な複数種類の処理にそれぞれ対応する複数の色を色テーブルの第１色データを参照して決定し、決定した複数の色で発光部１７を発光させる。発光部１７が一覧表示部６５により制御されて発光する発光状態を一覧表示状態という。一覧表示部６５は、履歴情報８３を参照して、実行された頻度の高い処理については、発光する面積を広くして発光させる。実行された頻度が高いほど、発光する面積を広くするようにしてもよい。一覧表示部６５は、発光部１７を一覧表示状態に制御している間、処理選択部５３に一覧表表示状態であることを示す信号および複数種類の処理それぞれの処理識別情報と頻度との組を出力する。
【００５３】
図７は、発光部の一覧表示状態の一例を示す図である。図７に示す発光部１７の一覧表示状態は、発光部１７の導光板１０３Ａ，１０３Ｂ，１０３ＣがカラーＡで発光し、導光板１０３Ｄ，１０３ＥがカラーＢで発光し、導光板１０３ＦがカラーＣの色で発光し、導光板１０３ＧがカラーＤで発光している状態を示している。なお、図中において色の違いを表現するために異なる色を異なるハッチングで示し、文字は色を示すために便宜的に付したもので実際には存在しない。図６（Ａ）に示した色テーブルの第１色レコードにおいては、カラーＡは電子メール処理、カラーＢは電話発着信処理、カラーＣはブラウジング処理、カラーＤは目覚ましアラーム処理に関連付けられている。このため、図６に示した一覧表示状態から電子メール処理が実行された頻度が最も多いことがわかる。また、次に使用頻度が多いのが電話発着信処理であり、ブラウジング処理および目覚ましアラーム処理の使用頻度が少ないことがわかる。
【００５４】
図４に戻って、点滅表示部６７は、一覧表示部６５が一覧表示状態で発光部１７を発光させている状態において、処理実行部５９から処理識別情報が入力される場合、発光部１７を制御して、ＥＥＰＲＯＭ３３に記憶されている色テーブル８１の第１色レコードによって該処理識別情報で特定される処理に関連付けられている色を点滅表示させる。処理実行部５９は、点滅条件が成立した処理が存在する場合、換言すれば、処理対象とするデータが変化した処理が存在する場合に、その処理の処理識別情報を出力する。したがって、一覧表示状態で発光する色のうち点滅する色に関連付けられた処理が処理対象とするデータが変化したことを、ユーザに通知することができる。換言すれば、新たに処理するべきデータが存在し、緊急度の高い処理をユーザに通知することができる。点滅表示部６７は、点滅させた色に関連付けられている処理の処理識別情報を処理選択部５３に出力する。
【００５５】
なお、点滅表示部６７は、一覧表示部６５が一覧表示状態で発光部１７を発光させている状態において、履歴情報８３を参照して、最後に実行された処理の処理識別情報を取得し、発光部１７を制御して、ＥＥＰＲＯＭ３３に記憶されている色テーブル８１の第１色レコードによって該処理識別情報で特定される最後に実行された処理に関連付けられている色を点滅表示させるようにしてもよい。この場合、一覧表示状態で発光する色のうち点滅する色に関連付けられた処理が最後に実行された処理であることを、ユーザに通知することができる。
【００５６】
処理選択部５３は、一覧表示部６５から一覧表示状態であることを示す信号が入力されているときに、サイドキー６が押下されることなく加速度検出部５１から振る操作が入力されたことを示す信号が入力されると、複数の処理のうちからいずれか１つを選択する。処理選択部５３は、加速度検出部５１から振る操作が入力されるごとに、複数の処理のうちからいずれか１つを順に選択する。処理選択部５３は、選択した処理の処理識別情報を発光制御部６３、候補決定部５５および処理実行部５９に出力する。
【００５７】
複数種類の処理のうちから選択する順番は、点滅表示部６７から処理識別情報が入力される場合には、その処理識別情報で特定される処理である。緊急度の高い処理を最初に選択することができる。次に、一覧表示部６５から入力される複数の処理それぞれの処理識別情報と頻度との組に基づいて、頻度の高い順に処理識別情報の処理を選択する。発光部１７が図７に示した一覧表示状態のとき、処理選択部５３は、カラーＡに関連付けられた電子メール処理、カラーＢに関連付けられた電話発着信処理、カラーＣに関連付けられたブラウジング処理、カラーＤに関連付けられた目覚ましアラーム処理の順に選択する。なお、点滅表示部６７から処理識別情報が入力される場合には、その処理識別情報の処理が最初に選択されるので、全ての処理が１回選択されるように、順番が更新される。たとえば、電話の不在着信が存在する場合には、電話発着信処理が第１番目に選択され、次に頻度の最も高い電子メール処理が第２番目に選択され、次に頻度の高い電話発着信処理は既に選択されているのでその次に頻度の高いブラウジング処理が第３番目に選択され、最後に目覚ましアラーム処理が第４番目に選択される。
【００５８】
候補決定部５５は、サイドキー６が押下されると、そのときに処理選択部５３から入力されている処理識別情報の処理を候補処理に決定する。そして、決定した候補処理の処理機別情報を画面選択部５７に出力する。
【００５９】
画面選択部５７は、サイドキー６が押下されている状態で、加速度検出部５１から振る操作が入力されたことを示す信号が入力されると、ＥＥＰＲＯＭ３３に記憶されている色テーブル８１の第２色レコードを参照し、候補決定部５５から入力される処理識別情報が表示可能な複数種類の画面のうちから１つを選択する。画面を選択する順番は、予め定められていてもよい。そして、選択した画面に第２色レコードにより関連付けられている色を発光制御部６３に出力する。また、画面選択部５７は、候補決定部５５から入力される処理識別情報と、選択した画面を識別するための画面識別情報とを処理実行部５９に出力する。
【００６０】
ここで、図６（Ｂ）に示した第２色レコードを用いて、具体的に説明する。候補決定部５５から入力される処理識別情報が、電子メール処理を特定する場合、加速度検出部５１から振る操作が入力されたことを示す信号が入力されると、「新規作成画面」を選択し、カラーＥを候補色表示部７１に出力する。次に、加速度検出部５１から振る操作が入力されたことを示す信号が入力されると、「受信ＢＯＸ一覧画面」を選択し、カラーＦを候補色表示部７１に出力する。次に、加速度検出部５１から振る操作が入力されたことを示す信号が入力されると、「送信ＢＯＸ一覧画面」を選択し、カラーＧを候補色表示部７１に出力する。さらに、加速度検出部５１から振る操作が入力されたことを示す信号が入力されると、「新着メール問合せ中画面」を選択し、カラーＨを候補色表示部７１に出力する。
【００６１】
発光制御部６３の選択表示部６９は、処理選択部５３から処理識別情報が入力されると、処理識別情報で特定される処理に対応する色を色テーブルの第１色データを参照して決定し、決定した色で発光部１７の予め定められた第１の位置、ここでは最下段の導光板１０３Ａの部分を発光させる。
【００６２】
候補色表示部７１は、画面選択部５７から色が入力されると、入力された色で発光部１７の予め定められた第２の位置、ここでは最上段の導光板１０３Ｊの部分を発光させる。発光部１７が一覧表示部６５および候補色表示部７１により制御されて発光する発光状態を選択表示状態という。
【００６３】
図８は、発光部の選択表示状態の一例を示す図である。図８に示す発光部１７の選択表示状態は、発光部１７の導光板１０３Ａ，１０３Ｂ，１０３ＣがカラーＡで発光し、導光板１０３ＪがカラーＥで発光している状態を示している。なお、図中において色の違いを表現するために異なる色を異なるハッチングで示し、文字は色を示すために便宜的に付したもので実際には存在しない。図６（Ａ）に示した色テーブルの第１色レコードにおいては、カラーＡは電子メール処理に関連付けられており、図６（Ｂ）に示した色テーブルの第２色レコードにおいては、カラーＥは「新規作成画面」に関連付けられている。選択表示状態から電子メール処理が候補処理に選択され、「新規作成画面」が選択されていることがわかる。
【００６４】
処理実行部５９は、画面選択部５７から何も入力されておらず、処理選択部５３から処理識別情報が入力されている状態で、開閉検出部６１から入力される携帯電話機１の状態が閉状態から開状態に変化すると、処理選択部５３から入力される処理識別情報で特定される処理を実行する。この場合、ＬＣＤ１５に表示する操作画面は、処理選択部５３から入力される処理識別情報で特定される処理に対して予め定められた操作画面である。
【００６５】
処理実行部５９は、処理選択部５３から入力される処理識別情報で特定される処理が、点滅条件を満たす場合、条件を満たすデータを表示するための画面を表示する。たとえば、処理選択部５３から入力される処理識別情報で特定される処理が電子メール処理であり、未読の電子メールが存在する場合、未読の電子メールが存在することを表示するために「受信ＢＯＸ一覧画面」を表示する。また、処理選択部５３から入力される処理識別情報で特定される処理が電話発着信処理であり、不在着信が存在する場合、不在着信の電話番号を通知するために「着信履歴一覧画面」を表示する。処理選択部５３から入力される処理識別情報で特定される処理がブラウジング処理であり、「お気に入りに第１番目に登録された画面」のＷｅｂページが更新された場合、更新されたＷｅｂページを表示するための「お気に入りに第１番目に登録された画面」を表示する。処理選択部５３から入力される処理識別情報で特定される処理が目覚ましアラーム処理であり、現在時刻がアラーム時刻と一致するまたはアラーム時刻を経過している場合、アラーム時刻であることを通知する目覚まし通知画面を表示する。
【００６６】
処理実行部５９は画面選択部５７から処理識別情報と、画面識別情報とが入力されている状態で、開閉検出部６１から入力される携帯電話機１の状態が閉じた状態から開いた状態に変化すると、画面選択部５７から入力される処理識別情報で特定される処理を実行する。この場合、ＬＣＤ１５に表示する画面は、画面選択部５７から入力される画面識別情報で特定される画面である。たとえば、画面選択部５７から入力される処理識別情報で特定される処理が電子メール処理であり、画面識別情報が「新規作成画面」の場合、「新規作成画面」を表示する。また、画面選択部５７から入力される処理識別情報で特定される処理が電話発着信処理であり、画面識別情報が「着信履歴一覧画面」の場合、「着信履歴一覧が面」を表示する。さらに、画面選択部５７から入力される処理識別情報で特定される処理がブラウジング処理であり、データの種類が「お気に入り登録の第１番目」の場合、お気に入りに第１番目に登録されているＵＲＬのＷｅｂページを表示する閲覧画面を表示する。
【００６７】
図９は、操作受付処理の流れの一例を示すフローチャートである。操作受付処理は、制御部２１が操作受付プログラムを実行することにより、制御部２１により実行される処理である。図９を参照して、制御部２１は、携帯電話機１が閉状態か否かを判断する（ステップＳ０１）。開閉スイッチの状態がＯＮで携帯電話機１が閉状態ならば処理をステップＳ０２に進めるが、そうでなく開閉スイッチの状態がＯＦＦで開状態ならば処理を終了する。すなわち、操作受付処理は、携帯電話機１が閉状態であることを条件に実行される処理である。
【００６８】
ステップＳ０２においては、加速度センサ２５により加速度が検出されたか否かを判断する。加速度が検出されるまで待機状態となり（ステップＳ０２においてＮＯ）、加速度が検出されたならば振る操作が入力されたと判断し、処理をステップＳ０３に進める。
【００６９】
ステップＳ０３においては、ＥＥＰＲＯＭ３３に記憶されている履歴情報８３を読み出す。そして、履歴情報８３を分析して実行回数の順に処理を並び替える（ステップＳ０４）。具体的には、履歴情報８３に含まれる履歴レコードを処理識別情報が同じ履歴レコードの数をカウントし、カウント値の多い順に処理識別情報を並び替える。
【００７０】
ステップＳ０５においては、表示幅を決定する。実行回数の多いものほど表示幅を広くする。ここでは、発光部１７が備える１０個の導光板１０３Ａ〜１０３Ｊで表示幅が定まるので、処理識別情報に導光板１０３Ａ〜１０３Ｊの少なくとも１つを割り当てる。ここでは、電子メール処理、電話発着信処理、ブラウジング処理の順に実行回数が多く、ブラウジング処理と目覚ましアラーム処理との実行回数が同じとする。電子メール処理に３つの導光板１０３Ａ〜１０３Ｃを割り当て、電子メール発着信処理に２つの導光板１０３Ｄ，１０３Ｅを割り当て、ブラウジング処理に１つの導光板１０３Ｆを割り当て、目覚ましアラーム処理に１つの導光板１０３Ｇを割り当てる。
【００７１】
ステップＳ０６においては、点滅条件を満たす処理が存在するか否かを判断する。点滅条件を満たす処理が存在すれば処理をステップＳ０７に進めるが、点滅条件を満たす処理が存在しなければステップＳ０７をスキップして、処理をステップＳ０８に進める。ステップＳ０７においては、点滅条件を満たす処理を点滅表示に設定する。具体的には、ステップＳ０５において、点滅条件を満たす処理に割り当てられた導光板の部分を点滅表示に設定する。ステップＳ０８においては、発光部１７を一覧表示状態で発光させる。ステップＳ０７において点滅表示に設定された部分のＬＥＤ１０１を点滅表示させる。
【００７２】
ステップＳ０９においては、加速度センサ２５により加速度が検出されたか否かを判断する。加速度が検出されるまで待機状態となり（ステップＳ０９においてＮＯ）、加速度が検出されたならば振る操作が入力されたと判断し、処理をステップＳ１０に進める。
【００７３】
ステップＳ１０においては、電子メール処理、電話発着信処理、ブライジング処理および目覚ましアラーム処理のうちから１つを選択する。選択する順番は、まず、ステップＳ０６において、点滅条件を満たす処理が存在する場合には、点滅条件を満たす処理を選択する。点滅条件を満たす処理が複数存在する場合、または、点滅条件を満たす処理が存在しない場合には、実行回数の多い処理から順に選択する。ステップＳ１０において選択された処理を選択処理という。
【００７４】
ステップＳ１１においては、発光部１７を選択処理に関連付けられた色で発光させる。発光させる部分は、予め定めておけばよく、たとえば、導光板１０３Ａの部分を発光させる。
【００７５】
次に、携帯電話機１が開状態か否かを判断する（ステップＳ１２）。開閉スイッチの状態がＯＦＦで携帯電話機１が開状態ならば処理をステップＳ１３に進めるが、そうでなく開閉スイッチの状態がＯＮで閉状態ならば処理をステップＳ１５に進める。
【００７６】
ステップＳ１３においては、選択処理を実行する。この場合、選択処理に対して予め定められた操作画面をＬＣＤ１５に表示する。次のステップＳ１４においては、処理を実行したことを示す履歴を記憶し、処理を終了する。具体的には、実行した処理の処理識別情報とそのときの日時および時刻とを含む履歴レコードを生成し、履歴レコードをＥＥＰＲＯＭ３３に記憶されている履歴情報８３に追加して記憶する。
【００７７】
一方、ステップＳ１５においては、サイドキー６が押下されたか否かを判断する。サイドキーが押下されたならば処理をステップＳ１７に進め、そうでなければ処理をステップＳ１６に進める。ステップＳ１６においては、加速度センサ２５により加速度が検出されたか否かを判断する。加速度が検出されたならば振る操作が入力されたと判断し、処理をステップＳ１０に戻すが、加速度が検出されなければ処理をステップＳ１２に戻す。すなわち、サイドキー６が押下されることなく、振る操作が入力されると、次の順番の処理が選択され、サイドキー６が押下されることなく、振る操作が入力されることなく、携帯電話機１が開状態になると、選択処理が実行される。
【００７８】
ステップＳ１７においては、ステップＳ１０において選択された選択処理を候補処理に決定する。そして、候補処理が点滅条件を満たす処理か否かを判断する（ステップＳ１８）。候補処理が点滅条件を満たすならば処理をステップＳ１９に進め、そうでなければ処理をステップＳ２１に進める。ステップＳ１９においては、点滅条件を満たすデータを表示するための画面を決定する。そして、ステップＳ１９において決定された画面の画面識別情報に色テーブルの第２色レコードにおいて関連付けられている色を候補色に決定し（ステップＳ２０）、処理をステップＳ２３に進める。
【００７９】
一方、ステップＳ２１においては、予め定められた順で画面を選択する。そして、選択された画面に色テーブルの第２色レコードにおいて関連付けられている色を候補色に決定し（ステップＳ２２）、処理をステップＳ２３に進める。
【００８０】
ステップＳ２３においては、ステップＳ２０またはステップＳ２２において候補色に決定された色で発光部１７を発光させる。発光させる部分は、予め定めておけばよく、たとえば、導光板１０３Ｊの部分を発光させる。
【００８１】
ステップＳ２４においては、ステップＳ１２と同様に、携帯電話機１が開状態になったか否かを判断する。携帯電話機１が開状態ならば処理をステップＳ２６に進め、そうでなく閉状態ならば処理をステップＳ２５に進める。ステップＳ２５においては、加速度センサ２５により加速度が検出されたか否かを判断する。加速度が検出されたならば振る操作が入力されたと判断し、処理をステップＳ２１に戻すが、加速度が検出されなければ処理をステップＳ２４に戻す。すなわち、サイドキー６が押下された後に、振る操作が入力されると、次の順番の画面が選択され、サイドキー６が押下された後に携帯電話機１が開状態になると、候補処理が実行される。
【００８２】
ステップＳ２６においては、ステップＳ１７において候補処理に決定された処理を実行する。この場合、複数種類の画面のうちステップＳ１９またはステップＳ２１において決定された画面を表示するための候補処理が実行される。そして、処理をステップＳ１４に進める。ステップＳ１４においては、候補処理を実行したことを示す履歴を記憶する。具体的には、候補処理の処理識別情報と、そのときの日時とを含む履歴レコードを生成し、履歴レコードをＥＥＰＲＯＭ３３に記憶されている履歴情報８３に追加して記憶する。
【００８３】
以上説明したように本実施の形態における携帯電話機１は、複数種類の処理を複数色のいずれかと関連付けた第１色レコードを含む色テーブル８１をＥＥＰＲＯＭ３３に記憶しており、閉状態において、振る操作が受け付けられると、複数種類の処理のうちから１つを選択し、選択された処理に関連付けられた色で発光部１７を発光させる。このため、閉状態において選択された処理を色で報知することができる。そして、閉状態から開状態への変化が検出されると、選択された処理を実行する。このため、携帯電話機１の状態を変化させる簡単な操作で、閉状態において選択された処理を実行させることができる。
【００８４】
また、複数種類の処理それぞれが実行されたことを示す履歴情報８３をＥＥＰＲＯＭ３３に記憶しており、履歴情報８３に基づいて、複数種類の処理のうちから実行された回数の多い順に選択する。このため、操作回数を少なくすることができる。
【００８５】
また、処理が選択される前に、複数種類の処理にそれぞれ対応する複数の部分それぞれが、当該種類の処理に関連付けられた色で発光され、複数の部分は、複数種類の処理それぞれが実行された回数に基づき定まる面積を有するので、複数種類の処理が実行された回数の順位をユーザに報知することができる。
【００８６】
また、複数種類の処理のうち該処理に対して処理対象となる新たなデータが存在する場合、該処理に関連する色を点滅させるので、処理対象となる新たなデータの存在をユーザに通知することができる。
【００８７】
また、閉状態において、複数種類の処理のうちから１つを選択可能とするとともに、該選択された処理が表示可能な複数種類の画面のうちから１つを選択可能とするので、閉状態における操作が可能となる。
【００８８】
＜変形例＞
上述した実施の形態においては、複数種類の処理ごとに表示可能な複数種類の画面を複数色のいずれかと関連付けるようにした。これに対して、変形例における携帯電話機１は、複数種類の処理それぞれに対して、処理対象とする複数種類のデータそれぞれを複数色のいずれかと関連付ける。以下、上述した携帯電話機１と異なる点を主に説明する。
【００８９】
図１０は、変形例における携帯電話機１が備える制御部の機能の概要の一例を示す機能ブロック図である。図４に示した機能ブロック図と異なる点は、関連付部７５Ａが変更された点、および画面選択部５７に代えてデータ種類選択部５７Ａを有する点である。その他の機能は同じなのでここでは説明を繰り返さない。
【００９０】
関連付部７５Ａは、ユーザが操作キー１４に入力されるに従って複数種類の処理それぞれに対応する色を関連付けた第１色レコードを生成し、第１色レコードをＥＥＰＲＯＭ３３に記憶されている色テーブル８１に追加して記憶する。また、関連付部７５は、複数種類の処理それぞれに対して、処理対象とする複数種類のデータそれぞれを複数色のいずれかと関連付ける。関連付部７５は、ユーザにより操作キー１４に入力される操作に従って複数種類のデータそれぞれに対応する色を関連付けた第３色レコードを生成し、第３色レコードをＥＥＰＲＯＭ３３に記憶されている色テーブル８１に追加して記憶する。
【００９１】
図１１は、変形例における第３色レコードの一例を示す図である。図１１を参照して、変形例における第３色レコードは、複数種類の処理、ここでは、電子メール処理および電話発着信処理それぞれに対して、処理対象とする複数種類のデータそれぞれを複数色のいずれかと関連付ける。具体的には、電子メール処理および電話発着信処理それぞれが処理対象とする「花子さん」に関連するデータをカラーＥと関連付け、「太郎さん」に関連するデータをカラーＦと関連付け、「一郎さん」に関連するデータをカラーＧと関連付け、「次郎さん」に関連するデータをカラーＨと関連付ける。電子メール処理が処理対象とするデータは、送受信された電子メールであり、それらのうち例えば「花子さん」に関連するデータは、宛先または送信元に「花子さん」の電子メールアドレスが設定された電子メールである。電話発着信処理が処理対象とするデータは、発着信履歴であり、それらのうち例えば「花子さん」に関連するデータは、発信先または着信元が「花子さん」の電話番号が設定された発着信履歴である。
【００９２】
なお、ユーザがデータの種類とそれに関連付けられた色とを記憶しやすいように、データがＬＣＤ１５に表示される際に、背景または文字等の表示部分の一部を、そのデータの種類に関連付けられた色にするのが好ましい。このようにすることで、ユーザは、操作時に見る色から直感的にデータの種類を判断できるようにすることができる。
【００９３】
図１０に戻って、データ種類選択部５７Ａは、候補決定部５５から入力される処理識別情報が所定の処理を特定する場合であって、サイドキー６が押下されている状態で、加速度検出部５１から振る操作が入力されたことを示す信号が入力されると、ＥＥＰＲＯＭ３３に記憶されている色テーブル８１の第３色レコードを参照し、候補決定部５５から入力される処理識別情報が処理対象とする複数のデータの種類のうちから１つを選択する。所定の処理は、ここでは、電子メール処理および電話発着信処理である。データの種類を選択する順番は、予め定められていてもよいし、複数のデータの種類のうちデータの数が多い順に選択するようにしてもよい。そして、選択したデータの種類に第３色レコードにより関連付けられている色を発光制御部６３に出力する。また、データ種類選択部５７Ａは、候補決定部５５から入力される処理識別情報と、選択したデータの種類とを処理実行部５９に出力する。
【００９４】
ここで、図１１に示した第３色レコードを用いて、具体的に説明する。候補決定部５５から入力される処理識別情報が、電子メール処理または電話発着信処理を特定する場合、加速度検出部５１から振る操作が入力されたことを示す信号が入力されると、データの種類「花子さん」を選択し、カラーＥを候補色表示部７１に出力する。次に、加速度検出部５１から振る操作が入力されたことを示す信号が入力されると、データの種類「太郎さん」を選択し、カラーＦを候補色表示部７１に出力する。次に、加速度検出部５１から振る操作が入力されたことを示す信号が入力されると、データの種類「一郎さん」を選択し、カラーＧを候補色表示部７１に出力する。加速度検出部５１から振る操作が入力されたことを示す信号が入力されると、データの種類「次郎さん」を選択し、カラーＨを候補色表示部７１に出力する。
【００９５】
発光制御部６３の選択表示部６９は、処理選択部５３から処理識別情報が入力されると、処理識別情報で特定される処理に対応する色を色テーブルの第１色データを参照して決定し、決定した色で発光部１７の予め定められた第１の位置、ここでは最下段の導光板１０３Ａの部分を発光させる。
【００９６】
候補色表示部７１は、データ種類選択部５７Ａから色が入力されると、入力された色で発光部１７の予め定められた第２の位置、ここでは最上段の導光板１０３Ｊの部分を発光させる。
【００９７】
例えば、発光部１７が図８に示す選択表示状態の場合、すなわち、発光部１７の導光板１０３Ａ，１０３Ｂ，１０３ＣがカラーＡで発光し、導光板１０３ＪがカラーＥで発光している状態の場合について説明する。図６（Ａ）に示した色テーブルの第１色レコードにおいては、カラーＡは電子メール処理に関連付けられており、図１１に示した色テーブルの第３色レコードにおいては、カラーＥはデータ種類「花子さん」に関連付けられている。図８に示した選択表示状態から電子メール処理が候補処理に選択され、データ種類として「花子さん」が選択されていることがわかる。
【００９８】
処理実行部５９は、データ種類選択部５７Ａから所定の処理の処理識別情報と、データの種類とが入力されている状態で、開閉検出部６１から入力される携帯電話機１の状態が閉じた状態から開いた状態に変化すると、データ種類選択部５７Ａから入力される処理識別情報で特定される処理を実行する。この場合、ＬＣＤ１５に表示する操作画面は、データ種類選択部５７Ａから入力されるデータの種類で特定されるデータを表示するための画面を表示する。たとえば、データ種類選択部５７Ａから入力される処理識別情報で特定される処理が電子メール処理であり、データの種類が「花子さん」の場合、「花子さん」の電子メールアドレスが発信元アドレスに設定されている受信電子メールまたは「花子さん」の電子メールアドレスが送信先アドレスに設定されている送信済み電子メールを表示するための閲覧画面を表示する。また、データ種類選択部５７Ａから入力される処理識別情報で特定される処理が電話発着信処理であり、データの種類が「花子さん」の場合、着信履歴のうち「花子さん」の電話番号または発信履歴のうち「花子さん」の電話番号を表示するための閲覧画面を表示する。
【００９９】
図１２は、変形例における操作受付処理の流れの一例を示すフローチャートである。図９に示した操作受付処理と異なる点は、ステップＳ１９Ａ、ステップＳ２１ＡおよびステップＳ２６Ａが変更された点である。その他の処理は同じなので、ここでは説明を繰り返さない。
【０１００】
ステップＳ１９においては、点滅条件を満たすデータの種類を決定する。そして、ステップＳ１９において決定されたデータの種類に色テーブルの第３色レコードにおいて関連付けられている色を候補色に決定し（ステップＳ２０）、処理をステップＳ２３に進める。
【０１０１】
一方、ステップＳ２１においては、予め定められた順でデータの種類を決定する。そして、決定されたデータの種類に色テーブルの第３色レコードにおいて関連付けられている色を候補色に決定し（ステップＳ２２）、処理をステップＳ２３に進める。
【０１０２】
ステップＳ２６においては、ステップＳ１７において候補処理に決定された処理を、ステップＳ１９またはステップＳ２１において決定された種類のデータに対して実行する。そして、処理をステップＳ１４に進める。
【０１０３】
変形例における携帯電話機１は、閉状態において、複数種類の処理のうちから１つを選択可能とするとともに、該選択された処理が処理するための複数種類のデータのうちから１つを選択可能とするので、閉状態における操作が可能となる。
【０１０４】
なお、上述した実施の形態においては、携帯機器の一例として携帯電話機１について説明したが、図９または図１２に示した処理を携帯電話機１に実行させるための操作受付方法または操作受付方法をコンピュータに実行させるための操作受付プログラムとして発明を捉えることができるのは言うまでもない。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０６】
【図１】本発明の実施の形態の一つにおける携帯電話機の外観を示す斜視図である。
【図２】発光部の平面図である。
【図３】本実施の形態における携帯電話機の機能の一例を示す機能ブロック図である。
【図４】制御部の機能の概要をEＥＰＲＯＭに記憶されるデータとともに示す機能ブロック図である。
【図５】条件テーブルの一例を示す図である。
【図６】色テーブルの一例を示す図である。
【図７】発光部の一覧表示状態の一例を示す図である。
【図８】発光部の選択表示状態の一例を示す図である。
【図９】操作受付処理の流れの一例を示すフローチャートである。
【図１０】変形例における携帯電話機が備える制御部の機能の概要の一例を示す機能ブロック図である。
【図１１】変形例における第３色レコードの一例を示す図である。
【図１２】変形例における操作受付処理の流れの一例を示すフローチャートである。
【符号の説明】
【０１０７】
１  携帯電話機、２  表示側部、３  操作側部、６  サイドキー、１０  コーデック部、１１  スピーカ、１３  マイクロフォン、１４  操作キー、１５  ＬＣＤ、１７  発光部、１９  赤外線通信部、２１  制御部、２２  無線回路、２４  カメラ、２５  加速度センサ、２６  開閉スイッチ、２７  振動部、２８  カードＩ／Ｆ、２８Ａ  フラッシュメモリ、３１  ＲＯＭ、３２  ＲＡＭ、３３  ＥＥＰＲＯＭ、５１  加速度検出部、５３  処理選択部、５５  候補決定部、５７  データ種類選択部、５９  処理実行部、６１  開閉検出部、６３  発光制御部、６５  一覧表示部、６７  点滅表示部、６９  選択表示部、７１  候補色表示部、７３  履歴記憶部、７５  関連付部、８１  色テーブル、８３  履歴情報、１０１  ＬＥＤ、１０３  導光板。
【図１】
2010033338.tif 000003
【図２】
2010033338.tif 000004
【図３】
2010033338.tif 000005
【図４】
2010033338.tif 000006
【図５】
2010033338.tif 000007
【図６】
2010033338.tif 000008
【図７】
2010033338.tif 000009
【図８】
2010033338.tif 000010
【図９】
2010033338.tif 000011
【図１０】
2010033338.tif 000012
【図１１】
2010033338.tif 000013
【図１２】
2010033338.tif 000014